(57)【要約】      （修正有）【課題】新型コロナウィルス等の予防に必要な措置を、一つの装置で実現することのできる非接触ゲート型除菌装置を提供する。【解決手段】左側ゲート部１と右側ゲート部２とを上方にて連結する電光掲示部４において、所定のメッセージを表示する。左側ゲート部または右側ゲート部に取り付けられた非接触体温計測部５において、左側ゲート部と右側ゲート部との間に形成される空間領域を通過しようとするユーザの体温を非接触で計測する。非接触体温計測部の近傍に取り付けられた手指除菌部６により、ユーザの手指を除菌する。人感センサーにより、空間領域に位置するユーザを感知した場合には、制御部は、除菌剤の噴霧機構を作動させ、左側ゲート部または右側ゲート部の少なくともいずれか一方の内壁に設けられた噴霧口から、除菌剤を噴霧させる。【選択図】図１
0003230570.tif 000002
【実用新案登録請求の範囲】
【請求項１】
少なくとも一つの柱状のゲート部と、
前記ゲート部に取り付けられ、前記ゲート部を通過しようするユーザの体温を、非接触計測する非接触体温計測部と、
前記ゲート部に取り付けられ、前記ユーザの手指を除菌する手指除菌剤を吐出する手指除菌部と、
前記ゲート部、または、前記ゲート部に取り付けられる他の部位に取り付けられ、前記ゲート部を通過しようとする前記ユーザを感知する人感センサーと、
前記ゲート部の内部に設けられた除菌剤の収納部と、
前記ゲート部の内部に設けられ、前記収納部に収容された前記除菌剤を噴霧する除菌剤の噴霧機構と、
前記人感センサーにより、前記ユーザを感知した場合には、前記除菌剤の噴霧機構を作動させ、前記ゲート部の内壁に設けられた噴霧口から、前記除菌剤を噴霧させる制御部と、
を備える非接触ゲート型除菌装置。
【請求項２】
前記収納部に収容される前記除菌剤は、安定型次亜塩素酸ナトリウムである、
請求項１に記載の非接触ゲート型除菌装置。
【請求項３】
前記非接触体温計測部は、顔認証機能と、勤怠管理機能とを備えている、
請求項１または請求項２に記載の非接触ゲート型除菌装置。
【考案の詳細な説明】
【技術分野】
【０００１】
この考案は、施設等に入るユーザの除菌を行うための非接触ゲート型除菌装置に関する。
【背景技術】
【０００２】
従来の除菌装置としては、特許文献１のように、内壁により処理空間を取り囲み、圧縮ガスの圧力を除菌液に作用させて、処理空間に除菌液を噴霧する形式の装置が挙げられる。
【先行技術文献】
【特許文献】
【０００３】
【特許文献１】特開２０１６−１６９９１４号公報
【考案の概要】
【考案が解決しようとする課題】
【０００４】
ところで、最近流行している新型コロナウィルス対策としては、単に除菌液を噴霧するだけでなく、検温や、手指の除菌を行うことも必要になっている。
【０００５】
しかしながら、特許文献１の装置では、除菌液を噴霧することしかできず、検温する装置や、手指の除菌を行う装置を、除菌装置とは別体に設ける必要があった。
【０００６】
本考案は、上記課題を解決するためになされたものであって、新型コロナウィルス等の予防に必要な措置を、一つの装置で実現することのできる非接触ゲート型除菌装置を提供することを目的とする。
【課題を解決するための手段】
【０００７】
上述の課題を解決するために、本考案の非接触ゲート型除菌装置の第１の態様は、
少なくとも一つの柱状のゲート部と、
前記ゲート部に取り付けられ、前記ゲート部を通過しようするユーザの体温を、非接触計測する非接触体温計測部と、
前記ゲート部に取り付けられ、前記ユーザの手指を除菌する手指除菌剤を吐出する手指除菌部と、
前記ゲート部、または、前記ゲート部に取り付けられる他の部位に取り付けられ、前記ゲート部を通過しようとする前記ユーザを感知する人感センサーと、
前記ゲート部の内部に設けられた除菌剤の収納部と、
前記ゲート部の内部に設けられ、前記収納部に収容された前記除菌剤を噴霧する除菌剤の噴霧機構と、
前記人感センサーにより、前記ユーザを感知した場合には、前記除菌剤の噴霧機構を作動させ、前記ゲート部の内壁に設けられた噴霧口から、前記除菌剤を噴霧させる制御部と、
を備える。
【０００８】
本考案の非接触ゲート型除菌装置の第１の態様においては、非接触体温計測部により、ゲート部を通過しようするユーザの体温を、非接触計測することができるので、所定の以上の体温のユーザが、ゲート部を通過して施設等に入るのを防止できる。さらに、手指除菌部により、ユーザは、手指を除菌することができるので、ユーザが、菌等を手指に付着させたままゲート部を通過して施設等に入ることを防止することができる。また、人感センサーにより、ユーザを感知すると、制御部は、除菌剤の噴霧機構を作動させ、ゲート部の内壁に設けられた噴霧口から、除菌剤を噴霧させる。したがって、ユーザの衣服等に付着した付着菌を不活化させることができる。
【０００９】
本考案の非接触ゲート型除菌装置の他の態様は、前記収納部に収容される前記除菌剤は、安定型次亜塩素酸ナトリウムである。したがって、ウィルスや細菌を不活化させる能力を維持したまま、人体への悪影響や塩素ガスの発生、金属腐食や漂白作用等を改善することができる。
【００１０】
本考案の非接触ゲート型除菌装置のさらに他の態様は、前記非接触体温計測部は、顔認証機能と、勤怠管理機能とを備えている。したがって、あらかじめ登録したユーザを瞬時に判別し、ビジターとの選別を行うことができるだけでなく、登録したユーザの入退場時間および体温記録を行うことが可能となり、感染経路の解析にも役立てることができる。
【考案の効果】
【００１１】
本考案によれば、新型コロナウィルス等の予防に必要な措置を、一つの装置で実現することができる。
【図面の簡単な説明】
【００１２】
【図１】（Ａ）は、本考案の一実施形態に係る非接触ゲート型除菌装置の概略構成を示す正面図であり、（Ｂ）は、本考案の一実施形態に係る非接触ゲート型除菌装置の右側面図である。
【図２】本実施形態に係る非接触ゲート型除菌装置の噴霧口を示す一部切り欠き斜視図である。
【図３】本実施形態に係る非接触ゲート型除菌装置における除菌剤噴霧機能部の概略構成を示す機能ブロック図である。
【図４】本実施形態に係る非接触ゲート型除菌装置における動作例を示すフローチャートである。
【考案を実施するための形態】
【００１３】
以下、本考案の一実施形態に係る非接触ゲート型除菌装置について、図面を参照しながら詳細に説明する。
【００１４】
［概略構成］
図１（Ａ）は、本実施形態に係る非接触ゲート型除菌装置１００の概略構成を示す正面図であり、図１（Ｂ）は、本考案の一実施形態に係る非接触ゲート型除菌装置の右側面図である。図２は、非接触ゲート型除菌装置１００の噴霧口を示す一部切り欠き斜視図である。
【００１５】
図１（Ａ），（Ｂ）に示すように、本実施形態の非接触ゲート型除菌装置１００は、左側ゲート部１と、右側ゲート部２と、底部３と、電光掲示部４と、非接触体温計測部５と、手指除菌部６と備えている。
【００１６】
左側ゲート部１と右側ゲート部２は、上方では電光掲示部４と、また、下方では底部３と連結され、一体として、ユーザが通過可能なゲートを形成する。図１（Ａ）に示すように、左側ゲート部１、右側ゲート部２、底部３、および電光掲示部４によって囲まれた空間領域Ａを、ユーザが通過可能となっている。
【００１７】
左側ゲート部１と右側ゲート部２は、例えば、ステンレス等の金属で形成されており、内部には、図示を省略するが、除菌剤の収納部、除菌剤の噴霧機構、および制御部等が収容されている。また、左側ゲート部１と右側ゲート部２の内側面には、図２に示すように、除菌剤の噴霧口１０が多数設けられている。
【００１８】
左側ゲート部１および右側ゲート部２を上部で連結する電光掲示部４の内側（天井下部）には、図示を省略する人感センサーが取り付けられている。人感センサーは、例えば赤外線センサーであり、ユーザが空間領域Ａに入ったことを感知することができる。
【００１９】
図３は、非接触ゲート型除菌装置１００における除菌剤噴霧機能部２０の概略構成を示す機能ブロック図である。除菌剤噴霧機能部２０は、左側ゲート部１および右側ゲート部２の内部に設けられている。但し、除菌剤噴霧機能部２０は、左側ゲート部１および右側ゲート部２のいずれか一方に設けるようにしてもよい。
【００２０】
図３に示すように、除菌剤噴霧機能部２０は、例えば、制御部２１と、人感センサー２２と、噴霧機構２３とを備えている。人感センサー２２により、ユーザが空間領域Ａに入ったことを感知すると、制御部２１は、除菌液の噴霧機構２３を作動させ、除菌剤収容部２４に収容された除菌剤を、噴霧口１０から、ドライミスト化して放出する。その結果、衣服を湿らせることなく、衣服等に付着した付着菌を不活化させることができる。
【００２１】
本実施形態では、一例として、除菌剤収容部２４に収容される除菌剤として、安定型次亜塩素酸ナトリウムを用いている。本実施形態における安定型次亜塩素酸ナトリウムは、安全化されており、ウィルスや細菌を不活化させる能力を維持したまま、人体への悪影響や塩素ガスの発生、金属腐食や漂白作用等を改善している。本実施形態においては、安定型次亜塩素酸ナトリウムを収容する除菌剤収容部２４は、左側ゲート部１および右側ゲート部２の内部に配置されている。但し、除菌剤収容部２４は、左側ゲート部１および右側ゲート部２のいずれか一方の内部に配置するようにしてもよい。
【００２２】
また、除菌方式は、除菌剤の噴霧機構を用いた微細噴霧方式であり、除菌時間は、例えば３秒に設定されている。但し、除菌時間は３秒に限定される訳ではなく、適宜調節することが可能である。
【００２３】
左側ゲート部１、右側ゲート部２、底部３、および電光掲示部によって一体に形成される非接触ゲート型除菌装置１００の大きさは、例えば、高さが２１５０ｍｍ、左右の幅が１２６０ｍｍ、奥行が４００ｍｍ（底板奥行き８００mm、転倒防止のため）と、コンパクトな大きさとなっている。したがって、商業施設、薬局、クリニック、介護施設、遊技場等、多様な場所に設置することができる。また、ユーザが車椅子で通りやすいように、内寸を、８００ｍｍとしている。
【００２４】
底部３は、左側ゲート部１および右側ゲート部２と同様に、ステンレス等の金属で形成されており、左側ゲート部１および右側ゲート部２を、下方で連結する機能を有している。底部３は、ステンレス板を使用することにより、車椅子や足の悪いユーザも通りやすくなっている。
【００２５】
電光掲示部４は、筐体部が、例えばステンレス等の金属で形成されており、筐体部には、電光掲示部が収容されている。電光掲示部は、例えば、ＬＥＤ等で構成されており、所望のメッセージを、例えば、日本語、英語等で表示することができる。例えば、"Spray Gate"のような文字を、赤色で表示し、右から左へとスクロール表示させることができる。このような電光掲示表示を行うことにより、ユーザは、遠くからでも、非接触ゲート型除菌装置１００の存在を認識することができる。
【００２６】
非接触体温計測部５は、例えばタブレット型の情報端末機器が用いられており、本実施形態では、右側ゲート部２に取り付けられている。サーモグラフィによる非接触の体温測定機能を備えている。非接触体温計測部５には、また、カメラが内蔵されており、さらに、カメラにて撮影した画像を表示する表示部を備えている。ユーザは、表示部において指定された位置に、自分自身の顔が入るように、自分自身の立ち位置を調節する。この状態において、非接触体温計測部５に備えられた高精度のサーモセンサーでユーザの体温を計測する。非接触体温計測部５には、また、アナウンス機能を備えており、計測したユーザの体温が設定温度以上の場合には、その旨を伝え、ゲートを通過できない旨の警告をアナウンスする。
【００２７】
さらに、非接触体温計測部５には、ユーザがマスクを着けているか否かを認識する認識機能も備えており、マスクを着けていないユーザに対しては、アナウンス機能により、マスクの着用を促すこともできる。
【００２８】
非接触体温計測部５は、また、顔認証機能を備えており、例えば、２０００名のユーザの登録が可能となっている。この顔認証機能により、あらかじめ登録したユーザを瞬時に判別し、ビジターとの選別を行うことができる。
【００２９】
さらに、非接触体温計測部５は、勤怠管理機能を備えており、この勤怠管理機能により登録したユーザの入退場時間および体温記録を行うことが可能となっている。
【００３０】
手指除菌部６は、アルコール除菌剤を吐出する機能を有しており、本実施形態では、右側ゲート部２に取り付けられている。本実施形態の手指除菌部６は、センサーを備えており、ユーザが手指除菌部６に手をかざすと、センサーがユーザの手を検知し、アルコール除菌剤を吐出するように構成されている。したがって、ユーザは、手指除菌部６に手で触れることなく、手指の除菌を行うことができる。
【００３１】
［動作例］
次に、図４のフローチャートに基づいて、非接触ゲート型除菌装置１００の動作例について説明する。図４は、非接触ゲート型除菌装置１００における動作例を示すフローチャートである
【００３２】
まず、ユーザは、非接触体温計測部５による体温計測を行う（図４：Ｓ１）。この体温計測は、非接触体温計測部５のアナウンス機能による指示に従い、非接触体温計測部５の表示部における所定の位置に、ユーザの顔の位置を合わせることにより行われる。
【００３３】
非接触体温計測部５に備えられたサーモセンサーは、ユーザの体温を計測し、計測したユーザの体温が設定温度以上の場合には、アナウンス機能により、その旨を伝え、ゲートを通過できない旨の警告をアナウンスする。また、ユーザの体温が設定温度未満の場合には、非接触体温計測部５は、表示部に、体温が正常であれば緑色、異常であれば赤色で体温の表示を行う。
【００３４】
さらに、非接触体温計測部５は、ユーザがマスクを着けていないことを検知すると、ユーザに対して、アナウンス機能により、マスクの着用を促す。
【００３５】
ユーザが手指除菌部６の下方に手をかざすと、手指除菌部６は、アルコール除菌剤を吐出する（図４：Ｓ２）。これにより、ユーザは、自分自身の手指をアルコール除菌剤により、除菌することができる。
【００３６】
次に、ユーザが、左側ゲート部１と右側ゲート部２の間の空間領域Ａに入り、人感センサー２２がこれを感知すると（図４：Ｓ３）、制御部２１は、除菌剤の噴霧機構２３を作動させ、噴霧口１０から、ドライミスト化した安定型次亜塩素酸除菌剤を放出する（図４：Ｓ４）。その結果、ユーザの衣服を湿らせることなく、衣服等に付着した付着菌を不活化させることができる。
【００３７】
以上のように本実施形態によれば、左側ゲート部１、右側ゲート部２、底部３、および電光掲示部４によって囲まれたゲートを通過する際に、ユーザに対して非接触で安定型次亜塩素酸除菌剤を噴霧することができる。したがって、施設に入る手前で細菌をブロックし、生活をする上で、ユーザの身の回りの物に付着してしまう付着菌を、施設に持ち込むリスクを大きく軽減することができる。
【００３８】
また、本考案の非接触ゲート型除菌装置１００には、非接触体温計測部６を備えているので、高精度のサーモセンサーにより、ユーザの体温を計測し、ユーザの体温が所定温度以上の場合には、ユーザに対して警告することができる。また、非接触体温計測部６は、マスク着用の有無を検知可能な機能を有しているので、マスクを着用していないユーザへ、マスク着用を促すアナウンスをすることができる。
【００３９】
また、非接触体温計測部５は、顔認証機能と勤怠管理機能とを備えているので、予め登録したユーザを瞬時に判別し、ビジターとの選別をすることができ、勤怠管理機能により登録したユーザの入退場時間と体温の記録を行うことができる。したがって、感染経路の解析にも役立てることが可能となる。
【００４０】
さらに、手指除菌部６は、手をかざすだけでアルコール除菌剤が吐出されるので、ユーザは、手指除菌部６に自分自身の手で触れることなく、自分自身の手指の除菌を行うことができる。
【００４１】
そして、本考案の非接触ゲート型除菌装置１００は、上述したような機能が一つの装置に備えられているので、新型コロナウィルス予防に必要な措置を、非接触ゲート型除菌装置１００だけで実現することができる。
【００４２】
以上、本考案の実施形態に係る非接触ゲート型除菌装置について説明したが、本考案は、これに限定されるものではなく、本考案の要旨を逸脱しない範囲で、種々の変更が可能である。
【００４３】
例えば、非接触体温計則部のモニターを大型化し、通常は施設の広告表示をして、来場者が近づくと非接触体温計測機能画面に切り替わるようにしても良い。また、本体内側の除菌剤噴霧部の下部に紫外線除菌機構を追加し、除菌剤が届きにくい部位への除菌機能を高める機構を組み込んでも良い。
【００４４】
また、上述した実施形態においては、柱状のゲート部として、左側ゲート部１と右側ゲート部２の両方を設置した態様について説明した。しかしながら、本考案はこのような態様に限定される訳ではなく、柱状のゲート部として、左側ゲート部１あるいは右側ゲート部２のいずれか一方を設置するようにしても良い。このようにする事で、設置場所の広さが限られている場合等においても、本考案の非接触ゲート型除菌装置を配置することができる。
【００４５】
柱状のゲート部として、左側ゲート部１または右側ゲート部２のいずれか一方のゲート部を設置する場合には、電光掲示板４は省略しても良いし、あるいは、ゲート部に片持ちの状態で電光掲示板４を取り付けるか、もしくは、ゲート部に沿うように縦方向の電光掲示板４を取り付けても良い。底部３についても、省略しても良いし、ゲート部に取り付けても良い。
非接触体温計測部５、手指除菌部６、除菌剤の収納部、除菌剤の噴霧機構、および制御部等は、前記いずれか一方のゲート部に取り付け、あるいは収容すれば良い。
人感センサーについては、前記いずれか一方のゲート部に取り付けても良いし、あるいは、前記いずれか一方のゲート部に他の部材を取り付け、その他の部材の部位に取り付けても良い。
【符号の説明】
【００４６】
１      左側ゲート部
２      右側ゲート部
３      底部
４      電光掲示部
５      非接触体温計測部
６      手指除菌部
１０    噴霧口
２１    制御部
２２    人感センサー
２３    噴霧機構
２４    除菌剤収容部
１００  非接触ゲート型除菌装置
【図１】
0003230570.tif 000003
【図２】
0003230570.tif 000004
【図３】
0003230570.tif 000005
【図４】
0003230570.tif 000006